(57)【要約】【課題】家庭の駐車場やアプローチに降り積もる雪を融かす融雪装置において、運転中に融雪用電源が停電した場合でも、停電復帰時には降雪や凍結など、実際の融雪領域の状況に応じた最適な加熱を行い、融かし残しや凍結をなくす。【解決手段】降雪検知手段６により降雪を検知している間、降雪時間計測手段７により降雪時間を計測し、停電検知手段８により融雪用電源の停電を検知した場合に、停電した時点での融雪装置の運転状況や停電中に得られる情報を記憶手段９に記憶しておき、降雪検知手段６により降雪を検知している間と、降雪終了後、降雪時間計測手段７によって計測された降雪時間に応じて設定される追加加熱時間の間、融雪領域の加熱を行うように制御手段１０により加熱手段５を制御する。制御手段１０は、融雪用電源が停電した場合、停電復帰時に記憶手段９に記憶している情報を基に加熱手段５を制御するよう構成する。【選択図】  図１
2004360279.tif 000002
【特許請求の範囲】
【請求項１】
融雪領域を加熱する加熱手段と、降雪を検知する降雪検知手段と、この降雪検知手段により降雪を検知している間、降雪時間を計測する降雪時間計測手段と、融雪用電源の停電を検知する停電検知手段と、この停電検知手段により融雪用電源の停電を検知した場合に停電した時点での融雪装置の運転状況や停電中に得られる情報を記憶しておく記憶手段と、前記降雪検知手段により降雪を検知している間と、降雪終了後、前記降雪時間計測手段によって計測された降雪時間に応じて設定される追加加熱時間の間、融雪領域の加熱を行うように前記加熱手段を制御する制御手段を備え、前記制御手段は、融雪用電源が停電した場合、停電復帰時に記憶手段に記憶している情報を基に加熱手段を制御するよう構成した融雪装置。
【請求項２】
記憶手段は、降雪中に融雪用電源が停電した場合、停電した時点での降雪時間を記憶しておき、降雪時間計測手段は、融雪用電源が停電している間の降雪に対して累積降雪時間を計測しておき、停電復帰後、記憶手段に記憶している降雪時間と停電中の累積降雪時間を加算した時間を現在の降雪時間とする請求項１記載の融雪装置。
【請求項３】
記憶手段は、降雪終了後の追加加熱中に融雪用電源が停電した場合、停電した時点での追加加熱残時間を記憶しておき、降雪時間計測手段は、融雪用電源が停電している間の降雪に対して累積降雪時間を計測しておき、制御手段は、停電復帰後、停電中の累積降雪時間に対して計算した追加加熱時間と記憶手段に記憶している追加加熱残時間を加算した時間の間、追加加熱を行うように加熱手段を制御するよう構成した請求項１または２記載の融雪装置。
【請求項４】
融雪領域の温度を検知する融雪領域温度検知手段を備え、記憶手段は、運転開始後、降雪を検知する前、もしくは追加加熱終了後に融雪用電源が停電した場合、停電中の融雪領域の温度を記憶しておき、制御手段は、停電中に降雪を検知しなくても記憶手段に記憶している融雪領域の温度の中に第１の所定温度以下のものがあれば、停電復帰後、融雪領域の温度が第２の所定温度に到達するまで加熱を行うように加熱手段を制御するよう構成した請求項１〜３のいずれか１項に記載の融雪装置。
【請求項５】
報知動作をする報知手段を備え、制御手段は、融雪用電源が停電している間は、その旨を報知するように前記報知手段を制御するよう構成した請求項１〜４のいずれか１項に記載の融雪装置。
【発明の詳細な説明】
【０００１】
【発明の属する技術分野】
本発明は、家庭の駐車場やアプローチに降り積もる雪を融かす融雪装置に関するものである。
【０００２】
【従来の技術】
従来、この種の融雪装置として、降雪を検知するために降雪センサを備えて、そのセンサからの信号に応じて自動で融雪運転を行う機能を有するものがある（例えば、特許文献１参照）。具体的には、降雪センサにより降雪が検知されると、融雪領域の加熱を開始し、雪が止むのを検知してから所定の時間、加熱を続けた後、加熱を停止するというものである。
【０００３】
雪が止んでからも加熱を続けるのは、融雪装置の融雪能力を超える降雪量の場合、降り積もる雪をリアルタイムに融かすことが困難であるため、降雪が停止した後も加熱して、融かし残しを無くすためである。この時、加熱時間に制限を設けるのは、融雪装置の融雪能力を超える降雪量の場合に必要以上に加熱を続けてエネルギーを浪費させないためである。
【０００４】
また、従来から積雪の多い寒冷地にある電力会社の電力契約メニューの中には、融雪装置を対象とした契約メニューがある。その内容は、毎年冬期の間だけ電力供給を行うが、１日のうち、所定の時間だけは電力供給を停止するというもので、この契約には料金割引という顧客メリットがある。そのため、融雪装置を使用する顧客の多くは、このような電力契約を結んでいる。
【０００５】
【特許文献１】
特開２００２−２２７１１５号公報（第２頁）
【０００６】
【発明が解決しようとする課題】
しかしながら、このような従来の融雪装置では、加熱の途中に電力の供給が停止すると（以降、これを融雪用電源の停電という）、そこで加熱が中断してしまい、融かし残しが発生してしまうという問題や、降雪検知前や追加加熱終了後などの運転待機中での融雪用電源の停電に対しては、停電中に融雪領域の温度が低下してしまうと融雪領域が凍結してしまうなどの問題があった。
【０００７】
本発明は上記従来の課題を解決するもので、運転中に融雪用電源が停電した場合でも、停電復帰時には降雪や凍結など、実際の融雪領域の状況に応じた最適な加熱を行い、融かし残しや凍結をなくすことを目的としている。
【０００８】
【課題を解決するための手段】
本発明は上記目的を達成するために、降雪検知手段により降雪を検知し、この降雪検知手段により降雪を検知している間、降雪時間計測手段により降雪時間を計測し、停電検知手段により融雪用電源の停電を検知した場合に、停電した時点での融雪装置の運転状況や停電中に得られる情報を記憶手段に記憶しておき、降雪検知手段により降雪を検知している間と、降雪終了後、降雪時間計測手段によって計測された降雪時間に応じて設定される追加加熱時間の間、融雪領域の加熱を行うように制御手段により加熱手段を制御するよう構成し、制御手段は、融雪用電源が停電した場合、停電復帰時に記憶手段に記憶している情報を基に加熱手段を制御するよう構成したものである。
【０００９】
これにより、運転中に融雪用電源が停電した場合でも、停電復帰時には降雪や凍結など、実際の融雪領域の状況に応じた最適な加熱を行うことができ、融かし残しや凍結をなくすことができる。
【００１０】
【発明の実施の形態】
本発明の請求項１に記載の発明は、融雪領域を加熱する加熱手段と、降雪を検知する降雪検知手段と、この降雪検知手段により降雪を検知している間、降雪時間を計測する降雪時間計測手段と、融雪用電源の停電を検知する停電検知手段と、この停電検知手段により融雪用電源の停電を検知した場合に停電した時点での融雪装置の運転状況や停電中に得られる情報を記憶しておく記憶手段と、前記降雪検知手段により降雪を検知している間と、降雪終了後、前記降雪時間計測手段によって計測された降雪時間に応じて設定される追加加熱時間の間、融雪領域の加熱を行うように前記加熱手段を制御する制御手段を備え、前記制御手段は、融雪用電源が停電した場合、停電復帰時に記憶手段に記憶している情報を基に加熱手段を制御するよう構成したものであり、運転中に融雪用電源が停電した場合でも、停電復帰時には降雪や凍結など、実際の融雪領域の状況に応じた最適な加熱を行うことができ、融かし残しや凍結をなくすことができる。
【００１１】
請求項２に記載の発明は、上記請求項１に記載の発明において、記憶手段は、降雪中に融雪用電源が停電した場合、停電した時点での降雪時間を記憶しておき、降雪時間計測手段は、融雪用電源が停電している間の降雪に対して累積降雪時間を計測しておき、停電復帰後、記憶手段に記憶している降雪時間と停電中の累積降雪時間を加算した時間を現在の降雪時間とするものであり、降雪中に融雪用電源の停電があった場合でも、停電復帰時には実際の降雪量に応じた最適な加熱を行うことができ、融かし残しをなくすことができる。
【００１２】
請求項３に記載の発明は、上記請求項１または２に記載の発明において、記憶手段は、降雪終了後の追加加熱中に融雪用電源が停電した場合、停電した時点での追加加熱残時間を記憶しておき、降雪時間計測手段は、融雪用電源が停電している間の降雪に対して累積降雪時間を計測しておき、制御手段は、停電復帰後、停電中の累積降雪時間に対して計算した追加加熱時間と記憶手段に記憶している追加加熱残時間を加算した時間の間、追加加熱を行うように加熱手段を制御するよう構成したものであり、追加加熱中に融雪用電源の停電があった場合でも、停電復帰時には実際の降雪量に応じた最適な加熱を行うことができ、融かし残しをなくすことができる。
【００１３】
請求項４に記載の発明は、上記請求項１〜３のいずれかに記載の発明において、融雪領域の温度を検知する融雪領域温度検知手段を備え、記憶手段は、運転開始後、降雪を検知する前、もしくは追加加熱終了後に融雪用電源が停電した場合、停電中の融雪領域の温度を記憶しておき、制御手段は、停電中に降雪を検知しなくても記憶手段に記憶している融雪領域の温度の中に第１の所定温度以下のものがあれば、停電復帰後、融雪領域の温度が第２の所定温度に到達するまで加熱を行うように加熱手段を制御するよう構成したものであり、融雪用電源の停電中に融雪領域の温度が低下し、融雪領域が凍結してしまっても、停電復帰時に加熱を行い、氷を融かすことができる。
【００１４】
請求項５に記載の発明は、上記請求項１〜４のいずれかに記載の発明において、報知動作をする報知手段を備え、制御手段は、融雪用電源が停電している間は、その旨を報知するように前記報知手段を制御するよう構成したものであり、融雪用電源の停電により融雪領域の雪や氷が融けていない場合でも、使用者に知らせることができるため、装置の故障に対する使用者の不安を解消することができる。
【００１５】
【実施例】
以下、本発明の実施例について、図面を参照しながら説明する。
【００１６】
（実施例１）
本発明の融雪装置は、図２に示すように、歩道２から玄関３および駐車スペース４に至るアプローチを含めた領域に融雪装置敷設部１を形成し、そこに降った雪を融雪するものである。
【００１７】
図１に示すように、加熱手段５は、融雪領域を加熱するもので、図３に示すように、車両等の荷重に十分耐え得る金属製の表面プレート１５と、この表面プレート１５で保護される加熱コイル１６とからなる加熱ユニット１４とで構成し、高周波電源から供給される高周波電流により交番磁界を発生し、この交番磁界で表面プレート１５を誘導加熱するよう構成している。
【００１８】
降雪検知手段６は、降雪を検知するもので、発光素子と受光素子で構成し、発光素子から放たれた光が雪に反射して受光素子で検出されることにより降雪の有無を検知するようにし、降雪の有無に応じた信号を降雪時間計測手段７、制御手段１０に入力し、降雪時間計測手段７は降雪検知手段６により降雪を検知している間、降雪時間を計測するようにしている。
【００１９】
停電検知手段８は、融雪用電源の停電を検知するもので、融雪用電源が停電した場合、停電した時点での融雪装置の運転状況や停電中に得られる情報を記憶手段９に記憶しておく。制御手段１０は降雪開始を検知してから、降雪終了後、降雪時間計測手段７によって計測された降雪時間に応じて設定される追加加熱時間の間、融雪領域の加熱を行うように加熱手段５を制御するよう構成している。
【００２０】
降雪時間計測手段７、停電検知手段８、制御手段１０は、マイクロコンピュータ１３で構成している。停電検知手段８は、融雪用電源の交流電圧をダイオードで整流した後、抵抗で分圧したものを入力し、その入力値が所定の値を下回ると、制御手段１０に信号を入力するようにしている。
【００２１】
制御手段１０は、降雪検知手段６により降雪開始を検知している間と、降雪終了後、降雪時間計測手段７によって計測された降雪時間に応じて設定される追加加熱時間の間、融雪領域の加熱を行うように加熱手段５を制御するようにしている。
【００２２】
記憶手段９は、マイクロコンピュータ１３内のＲＡＭに相当し、融雪用電源が停電した場合、停電した時点での融雪装置の運転状況や停電中に得られる情報を記憶しておくようにしている。
【００２３】
報知手段１１は、報知動作をするものであり、発光ダイオードで構成し、融雪用電源が停電した場合に点灯するように制御される。融雪領域温度検知手段１２は、融雪領域の温度を検知するものであり、温度センサで構成し、現在の融雪領域の温度を検知して制御手段１０に入力するようにしている。
【００２４】
上記構成において、図４のフローチャートを用いて、動作を説明する。融雪装置の運転を開始すると、まず、ステップＳ１で記憶手段９であるマイクロコンピュータ１３内のＲＡＭの降雪時間、累積降雪時間、追加加熱残時間の記憶領域を初期化する。そして、ステップＳ２で降雪検知手段６により降雪開始かどうかを検知する。降雪開始を検知すれば、ステップＳ３へ進み、融雪領域の加熱を開始するが、降雪がなければ、降雪があるまでステップＳ２を繰り返す。
【００２５】
ステップＳ３で加熱を開始すると、ステップＳ４で降雪時間計測手段７により、降雪時間を計測する。そして、ステップＳ５で融雪用電源が停電しているかどうかを判定する。停電していなければ、そのままステップＳ６へ進むが、停電していれば、ステップＳ１２へ移行し、融雪領域の加熱を停止する。
【００２６】
そして、ステップＳ１３で記憶手段９に現在の降雪時間を記憶する。続いて、ステップＳ１４で停電から復帰したかどうかの判定を行い、まだ停電中であれば、ステップＳ１５で降雪中かどうかの判定を行う。降雪中であれば、ステップＳ１６で停電中の累積降雪時間の計測を行って、ステップＳ１４へ戻るが、降雪中でなければ、そのままステップＳ１４へ戻る。ステップＳ１４で停電から復帰したと判定されれば、ステップＳ１７で記憶手段９に記憶している降雪時間と停電中の累積降雪時間を加算したものを現在の降雪時間として設定する。そして、ステップＳ１８で加熱を再開し、ステップＳ６へ進む。
【００２７】
ステップＳ６では、降雪検知手段６により降雪終了かどうかの検知を行う。このとき、まだ降雪中であれば、ステップＳ４へ戻り、降雪時間の計測を継続するが、降雪が終了していれば、ステップＳ７で降雪時間に対する追加加熱終了時間を計算し、設定する。そして、つぎのステップＳ８で計測した降雪時間をクリアする。
【００２８】
そして、ステップＳ９で降雪開始かどうかを検知し、降雪開始を検知すれば、ステップＳ４に戻り、降雪時間を計測する。降雪がなければ、ステップＳ１０で追加加熱時間が経過したかどうかを判定し、経過していれば、ステップＳ１１で加熱を停止してからステップＳ１へ戻り、これまでの一連の動作を繰り返す。まだ経過していなければ、ステップＳ９へ戻り、降雪開始かどうかの検知を行う。
【００２９】
このように、降雪中に融雪用電源が停電した場合、停電した時点での降雪時間を記憶しておき、停電復帰後、記憶している降雪時間と停電中の累積降雪時間を加算した時間を現在の降雪時間とすることにより、降雪中に融雪用電源の停電があった場合でも、停電復帰時には実際の降雪量に応じた最適な加熱を行うことができ、融かし残しをなくすことができる。
【００３０】
なお、本実施例では、加熱手段２として、加熱コイル１６による誘導加熱を用いたが、これは電熱線や温水パイプを用いたものでもよく、要は融雪領域を加熱することができる構成であればよい。
【００３１】
（実施例２）
図１に示す記憶手段９は、降雪終了後の追加加熱中に融雪用電源が停電した場合、停電した時点での追加加熱残時間を記憶しておき、降雪時間計測手段７は、融雪用電源が停電している間の降雪に対して累積降雪時間を計測しておき、制御手段１０は、融雪用電源の停電からの復帰後、停電中の累積降雪時間に対して計算した追加加熱時間と記憶手段９に記憶している追加加熱残時間を加算した時間の間、追加加熱を行うように加熱手段５を制御するよう構成している。他の構成は上記実施例１と同じである。
【００３２】
上記構成において、図５のフローチャートを用いて、動作を説明する。なお、ステップＳ１からステップＳ１１までの動作は、上記実施例１の動作と同じであるので説明を省略する。
【００３３】
降雪終了後、ステップＳ７およびステップＳ８で追加加熱時間を計算し、降雪時間をクリアした後、ステップＳ１９で融雪用電源が停電しているかどうかを判定する。停電していなければ、そのままステップＳ９へ進むが、停電していれば、ステップＳ２０へ移行し、融雪領域の加熱を停止する。そして、ステップＳ２１で記憶手段９に追加加熱残時間を記憶する。
【００３４】
つづいて、ステップＳ２２で停電から復帰したかどうかの判定を行い、まだ停電中であれば、ステップＳ２３で降雪中かどうかの判定を行う。降雪中であれば、ステップＳ２４で停電中の累積降雪時間の計測を行って、ステップＳ２２へ戻るが、降雪中でなければ、そのままステップＳ２２へ戻る。ステップＳ２２で停電から復帰したと判定されれば、ステップＳ２５で停電中の累積降雪時間に対する追加加熱時間を計算し、ステップＳ２６で記憶手段９に記憶している追加加熱残時間とステップＳ２５で計算した追加加熱時間を加算した時間を停電復帰後の追加加熱時間として再設定する。そして、ステップＳ２７で加熱を再開し、ステップＳ９へと進む。
【００３５】
このように、降雪終了後の追加加熱中に融雪用電源が停電した場合、停電した時点での追加加熱残時間を記憶しておき、融雪用電源が停電している間の降雪に対して累積降雪時間を計測しておき、融雪用電源の停電からの復帰後、停電中の累積降雪時間に対して計算した追加加熱時間と記憶手段９に記憶している追加加熱残時間を加算した時間の間、追加加熱を行うようにすることにより、追加加熱中に融雪用電源の停電があった場合でも、停電復帰時には実際の降雪量に応じた最適な加熱を行うことができ、融かし残しをなくすことができる。
【００３６】
（実施例３）
図１に示す記憶手段９は、運転開始後、降雪を検知する前、もしくは追加加熱終了後に融雪用電源が停電した場合、停電中の融雪領域の温度を記憶しておき、制御手段１０は、運転開始後、降雪を検知する前、もしくは追加加熱終了後に融雪用電源が停電した場合、その旨を報知するように報知手段１１を制御するとともに、停電中に降雪を検知しなくても記憶している融雪領域の温度の中に第１の所定温度以下のものがあれば、停電復帰後、融雪領域の温度が第２の所定温度に到達するまで加熱を行うように加熱手段５を制御するよう構成している。他の構成は上記実施例１と同じである。
【００３７】
上記構成において、図６および図７のフローチャートを用いて、動作を説明する。なお、ステップＳ１からステップＳ２７までの動作は、上記実施例２の動作と同じであるので説明を省略する。
【００３８】
運転を開始し、図６のステップＳ１で降雪時間、累積降雪時間、追加加熱残時間の記憶領域を初期化した後、ステップＳ２８で融雪用電源が停電しているかどうかを判定する。停電していなければ、そのままステップＳ２へ進むが、停電していれば、図７のステップＳ２９へ移行し、停電していることを報知するための発光ダイオードを点灯する。そして、ステップＳ３０で記憶手段９に現在の融雪領域の温度を記憶する。
【００３９】
続いて、ステップＳ３１で停電から復帰したかどうかの判定を行い、まだ停電中であれば、ステップＳ３２で降雪中かどうかの判定を行う。降雪中であれば、ステップＳ３３で停電中の累積降雪時間の計測を行って、ステップＳ３０へ戻るが、降雪中でなければ、そのままステップＳ３０へ戻る。ステップＳ３１で停電から復帰したと判定されれば、ステップＳ３４で停電中に降雪があったかどうかの判定を行う。降雪があれば、ステップＳ３９で停電中の累積降雪時間を現在の降雪時間として設定した後、ステップＳ４０で発光ダイオードを消灯して、図６のステップＳ６へと進む。
【００４０】
停電中に降雪がなければ、ステップＳ３５で停電中に融雪領域の温度が第１の所定温度を下回ったことがないか記憶手段９に記憶している停電中の融雪領域の温度を調べる。融雪領域の温度が第１の所定温度を下回ったことがなければ、そのままステップＳ４１へ進み、発光ダイオードを消灯して、ステップＳ２へ進む。融雪領域の温度が第１の所定温度を下回ったことがあれば、ステップＳ３６へ進み、融雪領域の加熱を開始する。
【００４１】
そして、ステップＳ３７で第２の所定温度に到達したかどうかの判定を行う。到達していなければ、到達するまでステップＳ３７を繰返し、到達していれば、ステップＳ３８で加熱を停止し、ステップＳ４１で発光ダイオードを消灯し、図６のステップＳ２へと進む。
【００４２】
このように、運転開始後、降雪を検知する前、もしくは追加加熱終了後に融雪用電源が停電した場合、停電中の融雪領域の温度を記憶しておき、停電中に降雪を検知しなくても記憶手段９に記憶している融雪領域の温度の中に第１の所定温度以下のものがあれば、停電復帰後、融雪領域の温度が第２の所定温度に到達するまで加熱を行うようにすることにより、融雪用電源の停電中に融雪領域の温度が低下し、融雪領域が凍結してしまっても、停電復帰時に加熱を行い、氷を融かすことができる。
【００４３】
また、融雪用電源が停電している間は、その旨を報知するようにすることにより、融雪用電源の停電により融雪領域の雪や氷が融けていない場合でも、使用者に知らせることができるため、装置の故障に対する使用者の不安を解消することができる。
【００４４】
なお、本発明では、報知手段として、発光ダイオードを用いているが、これは液晶表示装置やブザーでもよく、要は使用者に融雪用電源が停電していることを知らせることができる構成であればよい。
【００４５】
【発明の効果】
以上のように本発明の請求項１に記載の発明によれば、融雪用電源が停電した場合、停電復帰時に記憶手段に記憶している情報を基に加熱手段を制御するよう構成したから、運転中に融雪用電源が停電した場合でも、停電復帰時には降雪や凍結など、実際の融雪領域の状況に応じた最適な加熱を行うことができ、融かし残しや凍結をなくすことができる。
【００４６】
また、請求項２に記載の発明によれば、降雪中に融雪用電源が停電した場合、停電した時点での降雪時間を記憶し、融雪用電源が停電している間の降雪に対して累積降雪時間を計測し、停電復帰後、記憶している降雪時間と停電中の累積降雪時間を加算した時間を現在の降雪時間とするから、降雪中に融雪用電源の停電があった場合でも、停電復帰時には実際の降雪量に応じた最適な加熱を行うことができ、融かし残しをなくすことができる。
【００４７】
また、請求項３に記載の発明によれば、降雪終了後の追加加熱中に融雪用電源が停電した場合、停電した時点での追加加熱残時間を記憶し、融雪用電源が停電している間の降雪に対して累積降雪時間を計測し、停電復帰後、停電中の累積降雪時間に対して計算した追加加熱時間と記憶手段に記憶している追加加熱残時間を加算した時間の間、追加加熱を行うように加熱手段を制御するよう構成したから、追加加熱中に融雪用電源の停電があった場合でも、停電復帰時には実際の降雪量に応じた最適な加熱を行うことができ、融かし残しをなくすことができる。
【００４８】
また、請求項４に記載の発明によれば、運転開始後、降雪を検知する前、もしくは追加加熱終了後に融雪用電源が停電した場合、停電中の融雪領域の温度を記憶し、停電中に降雪を検知しなくても記憶している融雪領域の温度の中に第１の所定温度以下のものがあれば、停電復帰後、融雪領域の温度が第２の所定温度に到達するまで加熱を行うように加熱手段を制御するよう構成したから、融雪用電源の停電中に融雪領域の温度が低下し、融雪領域が凍結してしまっても、停電復帰時に加熱を行い、氷を融かすことができる。
【００４９】
また、請求項５に記載の発明によれば、融雪用電源が停電している間は、その旨を報知するように報知手段を制御するよう構成したから、融雪用電源の停電により融雪領域の雪や氷が融けていない場合でも、使用者に知らせることができるため、装置の故障に対する使用者の不安を解消することができる。
【図面の簡単な説明】
【図１】本発明の第１の実施例の融雪装置のブロック図
【図２】同融雪装置の設置状態を示す斜視図
【図３】（ａ）同融雪装置の加熱手段の平面図
（ｂ）同融雪装置の加熱手段の断面図
【図４】同融雪装置の動作フローチャート
【図５】本発明の第２の実施例の融雪装置の動作フローチャート
【図６】本発明の第３の実施例の融雪装置の運転開始後降雪を検知する前に融雪用電源が停電しない場合の動作フローチャート
【図７】同融雪装置の運転開始後降雪を検知する前に融雪用電源が停電した場合の動作フローチャート
【符号の説明】
５  加熱手段
６  降雪検知手段
７  降雪時間計測手段
８  停電検知手段
９  記憶手段
１０  制御手段
【図１】
2004360279.tif 000003
【図２】
2004360279.tif 000004
【図３】
2004360279.tif 000005
【図４】
2004360279.tif 000006
【図５】
2004360279.tif 000007
【図６】
2004360279.tif 000008
【図７】
2004360279.tif 000009